(57)【要約】【課題】  土木構築物を構成する構築材を安定的に固定するための固定部材を提供する。【解決手段】  固定部材は、接合面を有し、当該接合面が土木構築ブロックの背面に接合可能に構成される接合部と、前記接合部に連接され、前記接合面と反対側で、柱筋を係合可能に構成される係合部とを備える。前記係合部は、前記接合部に連接される基部と、前記基部の両縁部のそれぞれから、前記接合面と反対方向に立ち上がる壁部と、前記壁部の端部に設けられた爪部とを備える。また、前記壁部と前記爪部とが前記柱筋を受け入れる可能な空間を形成する。【選択図】  図３Ｂ
2018003477.tif 000002
【特許請求の範囲】
【請求項１】
接合面を有し、当該接合面が土木構築ブロックの背面に接合可能に構成される接合部と、
前記接合部に連接され、前記接合面と反対側で、柱筋を係合可能に構成される係合部と、
を備える、固定部材。
【請求項２】
前記係合部は、
前記接合部に連接される基部と、
前記基部の両縁部のそれぞれから、前記接合面と反対方向に立ち上がる壁部と、
前記壁部の端部に設けられた爪部と、備え、
前記壁部と前記爪部とが、前記柱筋を受け入れる可能な空間を形成する、
請求項１記載の固定部材。
【請求項３】
前記係合部は、前記柱筋の長軸方向に対応する方向に沿って複数設けられる、請求項２記載の固定部材。
【請求項４】
前記壁部及び前記爪部が湾曲状に形成される、請求項２又は３記載の固定部材。
【請求項５】
所定の壁面勾配を有する土木構築物の構築に用いられる土木構築ブロックであって、
壁面パネルと、
前記壁面パネルの少なくともいくつかの背面に、前記壁面パネルと一体に設けられた控え柱と、
前記控え柱の背面に設けられた固定部材と、を備え、
前記固定部材は、
接合面を有し、当該接合面を介して前記控え柱に接合する接合部と、
前記接合部に連接され、前記接合面と反対側で、柱筋を係合可能に構成される係合部と、を備える、
土木構築ブロック。
【請求項６】
前記固定部材は、前記柱筋の長軸方向に沿って複数設けられる、請求項５記載の土木構築ブロック。
【請求項７】
所定の壁面勾配を有する土木構築物を構築する方法であって、
背面に固定部材を備える土木構築ブロックを少なくとも１つ準備する工程と、
前記所定の壁面勾配に沿うように、所定の長さの柱筋を設置する工程と、
少なくとも１つの前記土木構築ブロックを、前記所定の壁面勾配を形成するように、設置する工程と、
設置された前記少なくとも１つの土木構築物の背面に、コンクリートを充填する工程と、含み、
前記土木構築ブロックを設置する工程は、前記固定部材を前記柱筋に嵌め合わせる工程を含む、
方法。
【発明の詳細な説明】
【技術分野】
【０００１】
本発明は、土木構築物の構築方法、並びに該構築方法に用いられる土木構築ブロック及び固定部材に関する。
【背景技術】
【０００２】
従来より、コンクリート製の土木構築ブロック（構築材）を積み上げて、擁壁や護岸のような土木構築物を構築する方法が知られている。具体的には、施工現場の一定の施工区間において、下段から所望の高さまで、順次に、土木構築ブロックを設置して所定の裏込め材料（例えば、胴込めコンクリートや裏込めコンクリート、土砂、砕石等）を充填することを繰り返すことにより、土木構築物を構築する。
【０００３】
このような土木構築物に用いられる構築材は、典型的には、複数の壁面パネルが鉄筋を介して横断方向に連結されることによって一体的に構成され、これら壁面パネルの少なくとも一部の背面に控え柱が一体的に突出形成されている。そして、構築材を段積みする際には、控え柱どうしが上下に重なるように設置される（特許文献１及び２）。
【０００４】
また、土木構築物においては、壁面パネルの背面に充填されるコンクリートが、所望の厚さとなるように管理する必要がある。このため、充填すべきコンクリートの厚さに応じた長さを有する位置規制部材が背面に設けられた構築材が提案されている（特許文献３）。土木構築物の施工に際しては、このような構築材を、位置規制部材の端部が型枠に当接するように設置して、コンクリートを充填するための所望の厚さの空間を壁面パネルの背面に確保する。
【先行技術文献】
【特許文献】
【０００５】
【特許文献１】特許３８８３８３０号公報
【特許文献２】特許第３８５７２９１号公報
【特許文献３】特開２０１４−１３４００６号公報
【発明の概要】
【発明が解決しようとする課題】
【０００６】
土木構築物の施工に際して、従来は、コンクリートの充填前に、設置した土木構築ブロック（構築材）が動かないようにするために、土木構築ブロックの背面に鉄筋を配設して、これらを溶接する工程が必要であった。かかる溶接工程は、熟練の溶接工が当たる必要がある一方で、非常に煩雑な作業であり、さらには、降雨時は作業ができないという問題があり、工期の短縮を図る上で一つの障害となっていた。このため、コンクリート充填前の土木構築ブロックの固定に溶接を行う従来の施工方法では、施工コストが嵩んでしまうという問題があった。
【０００７】
そこで、本発明は、土木構築物の構築に用いられる土木構築ブロックを、効率よく、確実に設置できるようにする技術を提供することを目的とする。
【０００８】
具体的には、本発明は、土木構築ブロックを安定的に設置するための固定部材を提供することを目的とする。
【０００９】
また、本発明は、溶接作業を全く必要としないか、あるいは最小限の溶接作業により、土木構築ブロックを設置することができる土木構築物の施工方法を提供することを目的とする。
【課題を解決するための手段】
【００１０】
上記課題を解決するための本発明は、以下に示す発明特定事項乃至は技術的特徴を含んで構成される。
【００１１】
すなわち、ある観点に従う発明は、接合面を有し、当該接合面が土木構築ブロックの背面に接合可能に構成される接合部と、前記接合部に連接され、前記接合面と反対側で、柱筋を係合可能に構成される係合部と、を備える、固定部材である。
【００１２】
ここで、前記係合部は、前記接合部に連接される基部と、前記基部の両縁部のそれぞれから、前記接合面と反対方向に立ち上がる壁部と、前記壁部の端部に設けられた爪部と、備え、前記壁部と前記爪部とが、前記柱筋を受け入れる可能な空間を形成し得る。
【００１３】
また、前記係合部は、前記柱筋の長軸方向に対応する方向に沿って複数設けられ得る。
【００１４】
また、前記壁部及び前記爪部が湾曲状に形成され得る。
【００１５】
また、ある観点に従う発明は、所定の壁面勾配を有する土木構築物の構築に用いられる土木構築ブロックであって、壁面パネルと、前記壁面パネルの少なくともいくつかの背面に、前記壁面パネルと一体に設けられた控え柱と、前記控え柱の背面に設けられた固定部材と、を備え、前記固定部材は、接合面を有し、当該接合面を介して前記控え柱に接合する接合部と、前記接合部に連接され、前記接合面と反対側で、柱筋を係合可能に構成される係合部と、を備える、土木構築ブロックである。
【００１６】
ここで、前記固定部材は、前記柱筋の長軸方向に沿って複数設けられ得る。
【００１７】
また、ある観点に従う発明は、所定の壁面勾配を有する土木構築物を構築する方法であって、背面に固定部材を備える土木構築ブロックを少なくとも１つ準備する工程と、前記所定の壁面勾配に沿うように、所定の長さの柱筋を設置する工程と、
少なくとも１つの前記土木構築ブロックを、前記所定の壁面勾配を形成するように、設置する工程と、設置された前記少なくとも１つの土木構築物の背面に、コンクリートを充填する工程と、含み、前記土木構築ブロックを設置する工程は、前記固定部材を前記柱筋に嵌め合わせる工程を含む、方法である。
【００１８】
ここで、前記土木構築ブロックを設置する工程及び前記コンクリートを充填する工程を繰り返し得る。
【発明の効果】
【００１９】
本発明によれば、土木構築物の構築に用いられる構築材を、効率よく、確実に設置できるようにする技術を提供できる。
【００２０】
具体的には、本発明によれば、構築材を安定的に固定するための固定部材を提供できる。
【００２１】
また、本発明によれば、溶接作業をまったく必要としないか、あるいは最小限の溶接作業により、構築材を設置することができる土木構築物の施工方法を提供できる。
【００２２】
本発明の他の技術的特徴、目的、及び作用効果乃至は利点は、添付した図面を参照して説明される以下の実施形態により明らかにされる。
【図面の簡単な説明】
【００２３】
【図１】本発明の一実施形態に係る土木構築物の一例を示す概略側面図である。
【図２Ａ】本発明の一実施形態に係る土木構築ブロックの一例を示す正面図である。
【図２Ｂ】本発明の一実施形態に係る土木構築ブロックの一例を示す平面図である。
【図２Ｃ】本発明の一実施形態に係る土木構築ブロックの一例を示す右側面図である。
【図２Ｄ】本発明の一実施形態に係る土木構築ブロックの一例を示す背面図である。
【図３Ａ】本発明の一実施形態に係る固定部材の一例を示す正面図である。
【図３Ｂ】本発明の一実施形態に係る固定部材の一例を示す平面図である。
【図３Ｃ】本発明の一実施形態に係る固定部材の他の例を示す平面図である。
【図３Ｄ】本発明の一実施形態に係る固定部材の他の例を示す平面図である。
【図４】本発明の一実施形態に係る固定部材の取り付け状態を説明するための図である。
【図５】本発明の一実施形態に係る土木構築物の構築方法を説明するフローチャートである。
【図６】本発明の一実施形態に係る土木構築物の構築方法を説明するための図ある。
【図７】本発明の一実施形態に係る土木構築物の構築方法を説明するための図ある。
【図８】本発明の一実施形態に係る土木構築物の構築方法を説明するための図ある。
【図９】本発明の一実施形態に係る土木構築物の構築方法を説明するための図ある。
【図１０】本発明の一実施形態に係る土木構築物の構築方法を説明するための図ある。
【発明を実施するための形態】
【００２４】
以下、図面を参照して本発明の実施の形態を説明する。ただし、以下に説明する実施形態は、あくまでも例示であり、以下に明示しない種々の変形や技術の適用を排除する意図はない。本発明は、その趣旨を逸脱しない範囲で種々変形（例えば各実施形態を組み合わせる等）して実施することができる。また、以下の図面の記載において、同一又は類似の部分には同一又は類似の符号を付して表している。図面は模式的なものであり、必ずしも実際の寸法や比率等とは一致しない。図面相互間においても互いの寸法の関係や比率が異なる部分が含まれていることがある。
【００２５】
図１は、本発明の一実施形態に係る土木構築物の一例を示す概略側面図である。同図に示すように、擁壁として構成された土木構築物１は、擁壁や護岸等を形成する構築物であって、基礎１０の上に、複数の土木構築ブロック２０が段積みされることにより構築される。本例の土木構築物１では、所定の法勾配を有する裏込め材３０に沿って設置された土木構築ブロック２０の背面に、胴込めコンクリートないしは裏込めコンクリート４０が打設され、また、その最上部には天端コンクリート５０が打設されている。土木構築ブロック２０は、施工時、該土木構築ブロック２０の固定部材６０を介して裏込め材３０の前面に配された柱筋７０に連結され、これにより、土木構築ブロック２０の安定的な設置が可能になっている。なお、胴込めコンクリートと裏込めコンクリートとは厳密には異なるものであるが、本明細書では、両者を区別する特段の意義がない限り、単に、これらを裏込めコンクリート４０というものとする。
【００２６】
基礎１０は、例えば、床堀された地面８０に基礎砕石１１が敷設され、その上に基礎コンクリート１２が打設されることにより構成される。基礎コンクリート１２の上端部は、例えば、法面８２側に傾斜する傾斜面１２ａを有し、これにより、土木構築ブロック２０を、所定の壁面勾配を形成するように段積みできるようになっている。
【００２７】
土木構築ブロック２０は、例えば、護岸等として十分に耐え得る厚みを有する、コンクリート製のブロック本体を含む構築材である。土木構築ブロック２０の形状及び大きさは、適宜に選択され得る。土木構築ブロック２０の表面（すなわち、壁面を構成する面）は、例えば、見かけ上、複数の擬石ブロックが設けられたように形成されていても良いし、幾何学的テクスチャが形成されていても良い。あるいは、自然環境により調和するように、その表面に、例えば自然石が埋め込まれたものであっても良い。本例の土木構築ブロック２０は、複数のコンクリートのブロックが一体的に連結され構成されている。また、本例の土木構築ブロック２０は、柱筋７０と連結するための固定部材６０を含んでいる。土木構築ブロック２０の詳細については後述する。
【００２８】
柱筋７０は、打設される裏込めコンクリート４０を補強するための例えば鉄製の筋材である。本例では、柱筋７０には、固定部材６０を介して土木構築ブロック２０が取り付けられる。柱筋７０は、例えば、その一端が基礎コンクリート１２内に固定される。この際、柱筋７０は、図示しないアンカーが取り付けられた一端を、打設した基礎コンクリート１２に穴あけて打ち込むことにより固定されて良い。あるいは、柱筋７０は、基礎コンクリート１２にインサートナットが埋め込まれて形成された取り付け孔に、その一端が挿入されることで固定されて良く、又は、基礎コンクリート１２を構成するコンクリートが未硬化の段階で、その一端を埋め込むことにより固定されて良い。また、柱筋７０は、例えば、高ナットないしは連結ナットを介して互いに連結され、裏込め材３０の法勾配に沿って、所定の高さまで立ち上げられ得る。さらに、柱筋７０には、裏込めコンクリート４０のかぶり厚を確保するためにスペーサ７２が取り付けられ得る。柱筋７０の断面形状は任意のものを選択可能であり、また、コンクリート付着率を高めるために、表面に凹凸形状を有していても良い。
【００２９】
固定部材６０は、土木構築ブロック２０と柱筋７０とを連結する部材である。固定部材６０は、例えば鉄やステンレス合金等の金属からなるが、これに限られず、例えば繊維強化樹脂等からなるものであっても良い。固定部材６０は、例えば、土木構築ブロック２０の背面に予め取り付けられている。施工時、土木構築ブロック２０は、固定部材６０により柱筋７０に仮固定され、これにより、土木構築ブロック２０の自立の安定性を向上させ、充填された裏込めコンクリート４０との一体性を確保することができる。固定部材６０の詳細については後述する。
【００３０】
裏込めコンクリート４０は、設置した土木構築ブロック２０の背面空間、つまり、土木構築ブロック２０の背面と裏込め材３０の前面との間に形成される空間に打設されるコンクリートである。裏込めコンクリート４０の打設に際しては、例えば裏込め材３０の前面に図５に示されるような抜き型枠９０が配置される。
【００３１】
図２は、本発明の一実施形態に係る土木構築ブロックの一例を示す図であり、具体的には、同図Ａは、土木構築ブロックの正面図であり、同図Ｂは、その平面図であり、同図Ｃは、その側面図であり、及び同図Ｄは、背面図である。これらの図に示されるように、土木構築ブロック２０は、例えば、パネル連結体２１と、控え柱２２と、固定部材６０とを含み構成される。なお、図２Ｄにおいては、固定部材６０を取り外した状態を示している。
【００３２】
パネル連結体２１は、壁面パネル２３と、連結部材２４と、定着用アンカー２５とを含み構成される。パネル連結体２１は、例えば、５つの壁面パネル２３が連結部材２４を介して、横断方向に連結され形成されている。
【００３３】
壁面パネル２３は、その表面に、例えば自然環境に調和するような凹凸形状のテクスチャを有し得る。例えば、壁面パネル２３は、擬石状に形成されたコンクリートブロックであり得る。あるいは、壁面パネル２３は、幾何学的テクスチャが形成されたものでも良い。壁面パネル２３の大きさは、例えば、縦が２５０ｍｍ前後、横が４００ｍｍ前後、厚さが１００ｍｍ前後である。
【００３４】
連結部材２４は、図２Ａに示されるように、一列に並べられた壁面パネル２３内部を連通し、壁面パネル２３どうしを連結する例えば鉄製の筋材である。本例では、５つの壁面パネル２３が、並行する２本の連結部材２４によって、一体的に連結されている。このような構成により、一連の壁面パネル２３は、その連結部分において自由に曲げられ、湾曲部分を有するパネル連結体２１とすることができる。このようなパネル連結体２１を構成する場合には、例えば、連結部分に目地材が注入される。
【００３５】
定着用アンカー２５は、パネル連結体２１の背面から後方に延出する例えば鉄製の筋材である。本例では、定着用アンカー２５は、遠端部が下方に屈曲することで、全体として側面視Ｌ字状に形成されている。定着用アンカー２５は、任意の方法で壁面パネル２３に取り付けられ得る。例えば、定着用アンカー２５は、壁面パネル２３を構成するコンクリートが未硬化の段階で、壁面パネル２３の背面にその一端部を埋め込むことにより取り付けられてもよい。あるいは、定着用アンカー２５は、壁面パネル２３の背面にインサートナットが埋め込まれて形成された取り付け孔に、その一端部をねじ込むことで取り付けられても良い。定着用アンカー２５は、例えば、後述する控え柱２２が設けられた壁面パネル２３以外の壁面パネル２３に設けられる。
【００３６】
控え柱２２は、図２Ｂ及びＤに示されるように、パネル連結体２１を構成する壁面パネル２３のうちの一部に設けられたブロック体である。本例では、５つの壁面パネル２３のうち、左右端からそれぞれ２番目に位置する壁面パネル２３の背面に設けられている。控え柱２２は、壁面パネル２３を成形する際に、コンクリートを用いて該壁面パネル２３と一体に成形される。控え柱２２は、壁面パネル２３の高さと略同一の高さを有し、壁面パネル２３の背面から後方に所定の長さだけ突出したような、全体として略角柱状の部分として認識される。控え柱２２の後方への突出長（すなわち、奥行き長さ）は、例えば２５０ｍｍ前後であり、定着用アンカー２５の延出長よりも長くなるように設定される。
【００３７】
また、控え柱２２の背面には、図２Ｄに示されるように、固定部材６０を取り付けるための取り付け孔２６が形成されている。取り付け孔２６には、例えば、図示しない樹脂筒（例えばＡＢＳ樹脂製）が嵌着された図示しないインサートナットが埋設されている。なお、樹脂筒及びインサートナットは、位置精度よく配置するために、コンクリートにより控え柱２２及び壁面パネル２３を一体成形する際に、控え柱２２内へ埋設されても良い。
【００３８】
また、控え柱２２の上面及び底面は、図示しない固定ピン用の孔を設けてもよい。固定用ピンの孔は、土木構築ブロック２０を所定の壁面勾配を形成するように段積みするために利用される。具体的には、土木構築ブロック２０の控え柱２２の上面に設けた固定ピン用の孔に図示しない固定用ピンの一端を挿入する。そして、該土木構築ブロック２０に対して別の土木構築ブロック２０を積み上げる際、その控え柱２２の底面に設けた固定ピン用の孔に、前述の固定用ピンの他端が挿入されるようにする。このようにすることで、所望する壁面勾配となるように土木構築ブロック２０を積み上げることができる。なお、固定ピン用の孔は、土木構築ブロック２０の壁面勾配に対応して複数設け、所望する土木構築ブロック２０の壁面勾配に応じて使い分けるようにしてもよい。
【００３９】
固定部材６０は、図２Ｂ及びＣに表れるように、控え柱２２の背面に取り付けられる。固定部材６０の詳細は後述する。
【００４０】
図３は、本発明の一実施形態に係る固定部材の一例を示す図である。具体的には、同図Ａは、固定部材の正面図であり、また、同図Ｂは、その平面図である。固定部材６０は、これらの図に表されるように、例えば、接合部６１と、係合部６２とを含み、柱筋７０の長軸方向に対応する仮想軸ａに対して左右対称に形成される。固定部材６０は、典型的には、鉄やステンレス合金等の金属部材であるが、これに限られず、繊維強化樹脂部材であっても良い。例えば、鉄製の固定部材６０であれば、所定の厚さの鉄板から抜き加工により所定の形状の板材に型抜きし、さらに、折り曲げ加工により係合部６２を形成することにより、固定部材６０が作製される。
【００４１】
接合部６１は、接合面６１ａを有し、例えば、仮想軸ａに対して左右対称に、プレート状に形成され、土木構築ブロック２０の背面に接合される部分である。接合部６１には、例えば、仮想軸ａを中心に左右それぞれにボルト等の締結具２７（図４参照）が挿通される開口部６３が形成されている。固定部材６０を土木構築ブロック２０の背面に取り付ける際、開口部６３は、土木構築ブロック２０の背面の取り付け孔２６に位置決めされる。本例では、開口部６３は、様々な間隔の取り付け孔２６に適合し得るように、スリット状に形成されている。
【００４２】
係合部６２は、柱筋７０に係合し、これによって、固定部材６０と柱筋７０とを結合する部分であって、例えば、基部６４と、壁部６５と、爪部６６とを含み構成される。基部６４は、例えば、仮想軸ａに沿って接合部６１から上下方向にそれぞれ延在している部分である。基部６４の両側縁部は、所定の高さだけ立ち上がり、壁部６５を形成し、さらに、壁部６５の先端は、仮想軸ａへの方向（すなわち内側）に折り曲げられて、爪部６６を形成する。係合部６２は、このようにして形成される空間に、柱筋７０を受け入れることを可能にし、爪部６６により、受け入れた柱筋７０が脱離することを防止する。なお、本例では、壁部６５ないし爪部６６は、直線状に形成されているが（図３Ｂ参照）、これに限られるものでない。例えば、図３Ｃに示すように、柱筋７０を受け入れる空間が湾曲状になるように壁部６５を形成しても良い。あるいは、図３Ｄに示すように、壁部６５を湾曲上に形成し、爪部６６の先端を折り返して外側に広がるように形成しても良い。
【００４３】
図４は、本発明の一実施形態に係る固定部材の取り付け状態を説明するための図である。同図に示すように、固定部材６０は、接合面６１ａを土木構築ブロック２０の控え柱２２の背面に接合させて、締結具２７を介して結合されている。これにより、固定部材６０は、土木構築ブロック２０と一体化されて、該土木構築ブロック２０の一部を構成することとなる。この場合、係合部６２は、控え柱２２の後方を向くように位置することになる。この状態で、係合部６２が、柱筋７０に押し当てられると、壁部６５が外側に撓んで、柱筋７０を受け入れ、保持し、これにより、固定部材６０は、土木構築ブロック２０と柱筋７０とを連結する。
【００４４】
なお、上記の例では、１つの控え柱２２に対して１つの固定部材６０を取り付けて、柱筋７０に連結するように構成しているが、これに限られるものでなく、１つの控え柱２２に対して複数の固定部材６０を取り付けて柱筋７０に連結するように構成しても良い。
【００４５】
次に、本実施形態の土木構築ブロックを用いた土木構築物の施工方法について説明する。図５は、本発明の一実施形態に係る土木構築物の構築方法を説明するフローチャートである。本例では、土木構築ブロック２０を複数段ずつ積み上げていくものとする。
【００４６】
まず、基礎１０を形成する基礎工を行う（Ｓ５０１）。本工程では、床堀された地面８０に基礎砕石１１が敷設され、その上に基礎コンクリート１２が打設される。このとき、柱筋７０は、例えばその一端が基礎コンクリート１２に埋設されて固定される。
【００４７】
続いて、柱筋７０が必要な高さまで立ち上げられる（Ｓ５０２）。図６は、本工程を説明する図である。柱筋７０は、基礎コンクリート１２に埋設された端部と反対側の端部を図示しない高ナットを用いて、筋材を連結することで必要な高さまで立ち上げられる。柱筋７０の立ち上げ高さは、後述するＳ５０３にて積み上げる土木構築ブロック２０の段数に応じた高さで良く、土木構築物１として最終的に必要な高さまで立ち上げる必要はない。
【００４８】
図５に戻り、次に、基礎コンクリート１２上に、土木構築ブロック２０を積み上げて据え付け位置を調整し、固定部材６０を柱筋７０に押し当てて嵌め込み、これにより、土木構築ブロック２０を柱筋７０に連結する（Ｓ５０３）。図７は、本工程を説明する図である。ここでは、基礎コンクリート１２の傾斜面１２ａ上に、土木構築ブロック２０を２段積み上げているが、一段ずつでも良いし、あるいは、より多段に土木構築ブロック２０を積み上げても良い。なお、土木構築ブロック２０の積み上げの際、下段側の土木構築ブロック２０の控え柱２２の上面に設けた固定ピン用の孔に固定用ピンの一端を挿入した上で、上段側の土木構築ブロック２０の固定ピン用の孔に、前述の固定用ピンの他端が挿入されるようにしても良い。このようにすることで、所望する壁面勾配となるように土木構築ブロック２０を積み上げることができる。
【００４９】
図５に戻り、次に、抜き型枠９０を設置する（Ｓ５０４）。図８は、本工程を説明する図である。抜き型枠９０は、柱筋７０と法面８２との間の所定の位置に設置される。また、柱筋７０と抜き型枠９０との間には、裏込めコンクリート４０のかぶり厚を確保するためにスペーサ７２が配置される。なお、本工程に先立ち、図示しない水抜きパイプを設置してもよい。
【００５０】
図５に戻り、次に、裏込め材３０を法面８２と抜き型枠９０の間に敷設し、締め固める（Ｓ５０５）。図９は、本工程を説明する図であり、法面８２と抜き型枠９０との間には、裏込め材３０が充填されている。
【００５１】
図５に戻り、次に、土木構築ブロック２０と抜き型枠９０との間の空間にコンクリートを充填して裏込めコンクリート４０を打設した後、抜き型枠９０を撤去する（Ｓ５０６）。図１０は、本工程を説明する図であり、裏込めコンクリート４０が打設されている。同図に示されるように、典型的には、裏込めコンクリート４０は、上段の土木構築ブロック２０の定着用アンカー２５が隠れる程度（例えば、土木構築ブロック２０の高さの２／３程度）まで打設する。
【００５２】
図５に戻り、続いて、予定段数の土木構築ブロック２０の積み上げが終了したか否かが判断される（Ｓ５０７）。予定段数の土木構築ブロック２０の積み上げが終了していない場合は（Ｓ５０７のＮｏ）、Ｓ５０２に戻り、土木構築物１の構築を続行する。一方、予定段数の土木構築ブロック２０の積み上げが終了している場合は（Ｓ５０７のＹｅｓ）、天端コンクリート５０を打設し（Ｓ５０８）、土木構築物１の構築を終了する。
【００５３】
上記各実施形態は、本発明を説明するための例示であり、本発明をこれらの実施形態にのみ限定する趣旨ではない。本発明は、その要旨を逸脱しない限り、さまざまな形態で実施することができる。
【００５４】
例えば、本明細書に開示される方法においては、その結果に矛盾が生じない限り、ステップ、動作又は機能を並行して又は異なる順に実施しても良い。説明されたステップ、動作及び機能は、単なる例として提供されており、ステップ、動作及び機能のうちのいくつかは、発明の要旨を逸脱しない範囲で、省略でき、また、互いに結合させることで一つのものとしてもよく、また、他のステップ、動作又は機能を追加してもよい。
【００５５】
また、本明細書では、さまざまな実施形態が開示されているが、一の実施形態における特定のフィーチャ（技術的事項）を、適宜改良しながら、他の実施形態に追加し、又は該他の実施形態における特定のフィーチャと置換することができ、そのような形態も本発明の要旨に含まれる。
【産業上の利用可能性】
【００５６】
本発明は、土木の分野に広く利用することができる。
【符号の説明】
【００５７】
１…土木構築物
１０…基礎
１１…基礎砕石
１２…基礎コンクリート
１２ａ…傾斜面
２０…土木構築ブロック
２１…パネル連結体
２２…控え柱
２３…壁面パネル
２４…連結部材
２５…定着用アンカー
２６…取り付け孔
２７…締結具
３０…裏込め材
４０…裏込めコンクリート
５０…天端コンクリート
６０…固定部材
６１…接合部
６１ａ…接合面
６２…係合部
６３…開口部
６４…基部
６５…壁部
６６…爪部
７０…柱筋
７２…スペーサ
８０…地面
８２…法面
９０…抜き型枠
【図１】
2018003477.tif 000003
【図２Ａ】
2018003477.tif 000004
【図２Ｂ】
2018003477.tif 000005
【図２Ｃ】
2018003477.tif 000006
【図２Ｄ】
2018003477.tif 000007
【図３Ａ】
2018003477.tif 000008
【図３Ｂ】
2018003477.tif 000009
【図３Ｃ】
2018003477.tif 000010
【図３Ｄ】
2018003477.tif 000011
【図４】
2018003477.tif 000012
【図５】
2018003477.tif 000013
【図６】
2018003477.tif 000014
【図７】
2018003477.tif 000015
【図８】
2018003477.tif 000016
【図９】
2018003477.tif 000017
【図１０】
2018003477.tif 000018